(57)【特許請求の範囲】
【請求項１】
装置間（Ｄ２Ｄ）通信方法であって、前記方法は、
第１ネットワーク内の基地局により、第１ネットワーク内のＤ２Ｄ通信タイムスロットが構成される必要のあることを決定するステップであって、前記Ｄ２Ｄ通信タイムスロットは、前記第１ネットワーク内の第１端末と第２ネットワーク内の第２端末との間のＤ２Ｄ通信のために使用され、前記第１ネットワーク及び前記第２ネットワークは異なる公衆地上モバイルネットワーク（ＰＬＭＮ）である、ステップと、
前記基地局により、前記第１ネットワーク内の第３端末へリソース要求を送信するステップであって、前記リソース要求は、前記Ｄ２Ｄ通信タイムスロットを構成するために使用される情報を前記基地局に報告するよう前記第３端末に指示するために使用され、前記情報は前記第２ネットワークのリソースプール時間ドメイン位置を含む、ステップと、
前記基地局により、前記第３端末により送信されたリソース要求応答を受信するステップであって、前記リソース要求応答は、前記第２ネットワークの前記リソースプール時間ドメイン位置を含み、且つ前記第３端末により前記第２ネットワークから取得される、ステップと、
を含む方法。
【請求項２】
前記基地局により、前記第３端末により送信されたリソース要求応答を受信する前記ステップの後に、前記方法は、
前記基地局により、前記第１端末について、前記Ｄ２Ｄ通信タイムスロットを構成するために使用され且つ前記リソース要求応答に含まれる前記情報に従い、前記第２端末との前記Ｄ２Ｄ通信のために使用される前記Ｄ２Ｄ通信タイムスロットを構成するステップ、
を更に含む請求項１に記載の方法。
【請求項３】
前記Ｄ２Ｄ通信タイムスロットを構成するために使用される前記情報は、前記第２ネットワークのリソースプール時間ドメイン較正情報を更に含む、請求項１又は２に記載の方法。
【請求項４】
前記リソース要求は、前記第２ネットワークのリソースプール周波数ドメイン位置を前記基地局に報告するよう前記第３端末に指示するために更に使用される、請求項１乃至３のいずれか一項に記載の方法。
【請求項５】
前記リソース要求は、前記第２ネットワークの周波数情報を含む、請求項１乃至４のいずれか一項に記載の方法。
【請求項６】
前記第３端末及び前記第１端末は同じ端末である、請求項１乃至５のいずれか一項に記載の方法。
【請求項７】
装置間（Ｄ２Ｄ）通信方法であって、前記方法は、
第１ネットワーク内の第３端末により、前記第１ネットワーク内の基地局により送信されたリソース要求を受信するステップであって、前記リソース要求は、Ｄ２Ｄ通信タイムスロットを構成するために使用される情報を前記基地局に報告するよう前記第３端末に指示するために使用され、前記情報は第２ネットワークのリソースプール時間ドメイン位置を含み、前記Ｄ２Ｄ通信タイムスロットは前記第１ネットワーク内の第１端末と第２ネットワーク内の第２端末との間のＤ２Ｄ通信のために使用され、前記第１ネットワーク及び前記第２ネットワークは異なる公衆地上モバイルネットワーク（ＰＬＭＮ）である、ステップと、
前記第３端末により、前記第２ネットワークから、前記リソース要求に従い、前記Ｄ２Ｄ通信タイムスロットを構成するために使用される前記情報を取得するステップと、
前記第３端末により、前記基地局へリソース要求応答を送信するステップであって、前記リソース要求応答は、前記第２ネットワークの前記リソースプール時間ドメイン位置を含み、且つ前記第３端末により前記第２ネットワークから取得される、ステップと、
を含む方法。
【請求項８】
前記Ｄ２Ｄ通信タイムスロットを構成するために使用される前記情報は、前記第２ネットワークのリソースプール時間ドメイン較正情報を更に含む、請求項７に記載の方法。
【請求項９】
前記リソース要求は、前記第２ネットワークのリソースプール周波数ドメイン位置を前記基地局に報告するよう前記第３端末に指示するために更に使用される、請求項７又は８に記載の方法。
【請求項１０】
前記リソース要求は、前記第２ネットワークの周波数情報を含む、請求項７乃至９のいずれか一項に記載の方法。
【請求項１１】
前記第３端末により、前記第２ネットワークから、前記リソース要求に従い、前記Ｄ２Ｄ通信タイムスロットを構成するために使用される前記情報を取得する前記ステップは、
前記第３端末により、前記第２ネットワークから、前記リソース要求に従い、前記第２ネットワーク内の基地局により送信されたシステムブロードキャストシグナリングを読み取ることにより、前記Ｄ２Ｄ通信タイムスロットを構成するために使用される前記情報を取得するステップ、
を含む、請求項７乃至１０のいずれか一項に記載の方法。
【請求項１２】
前記第３端末は、前記第２ネットワークから、前記Ｄ２Ｄ通信タイムスロットを構成するために使用される前記情報を取得することができる、請求項７乃至１１のいずれか一項に記載の方法。
【請求項１３】
前記第３端末及び前記第１端末は同じ端末である、請求項７乃至１２のいずれか一項に記載の方法。
【請求項１４】
基地局であって、前記基地局は第１ネットワークに属し、前記基地局は、
前記第１ネットワーク内のＤ２Ｄ通信タイムスロットが構成される必要のあることを決定するよう構成される処理ユニットであって、前記Ｄ２Ｄ通信タイムスロットは、前記第１ネットワーク内の第１端末と第２ネットワーク内の第２端末との間のＤ２Ｄ通信のために使用され、前記第１ネットワーク及び前記第２ネットワークは異なる公衆地上モバイルネットワーク（ＰＬＭＮ）である、処理ユニットと、
前記第１ネットワーク内の第３端末へリソース要求を送信し、前記リソース要求は前記Ｄ２Ｄ通信タイムスロットを構成するために使用される情報を前記基地局に報告するよう前記第３端末に指示するために使用され、、前記情報は前記第２ネットワークのリソースプール時間ドメイン位置を含み、前記第３端末により送信されたリソース要求応答を受信し、前記リソース要求応答は、前記第２ネットワークの前記リソースプール時間ドメイン位置を含み、且つ前記第３端末により前記第２ネットワークから取得される、よう構成される通信機ユニットと、
を含む基地局。
【請求項１５】
前記通信機ユニットが、前記第３端末により送信された前記リソース要求応答を受信した後に、前記処理ユニットは、前記第１端末について、前記Ｄ２Ｄ通信タイムスロットを構成するために使用され且つ前記リソース要求応答に含まれる前記情報に従い、前記第２端末との前記Ｄ２Ｄ通信のために使用される前記Ｄ２Ｄ通信タイムスロットを構成するよう更に構成される、請求項１４に記載の基地局。
【請求項１６】
前記Ｄ２Ｄ通信タイムスロットを構成するために使用される前記情報は、前記第２ネットワークのリソースプール時間ドメイン較正情報を更に含む、請求項１４又は１５に記載の基地局。
【請求項１７】
前記リソース要求は、前記第２ネットワークのリソースプール周波数ドメイン位置を前記基地局に報告するよう前記第３端末に指示するために更に使用される、請求項１４乃至１６のいずれか一項に記載の基地局。
【請求項１８】
前記リソース要求は、前記第２ネットワークの周波数情報を含む、請求項１４乃至１７のいずれか一項に記載の基地局。
【請求項１９】
前記第３端末及び前記第１端末は同じ端末である、請求項１４乃至１８のいずれか一項に記載の基地局。
【請求項２０】
端末であって、前記端末は第１ネットワークに属する第３端末であり、前記端末は、
前記第１ネットワーク内の基地局により送信されたリソース要求を受信するよう構成される通信機ユニットであって、前記リソース要求は、Ｄ２Ｄ通信タイムスロットを構成するために使用される情報を前記基地局に報告するよう前記第３端末に指示するために使用され、前記情報は第２ネットワークのリソースプール時間ドメイン位置を含み、前記Ｄ２Ｄ通信タイムスロットは前記第１ネットワーク内の第１端末と第２ネットワーク内の第２端末との間のＤ２Ｄ通信のために使用され、前記第１ネットワーク及び前記第２ネットワークは異なる公衆地上モバイルネットワーク（ＰＬＭＮ）である、通信機ユニットと、
前記第２ネットワークから、前記リソース要求に従い、前記Ｄ２Ｄ通信タイムスロットを構成するために使用される前記情報を取得するよう構成される処理ユニットと、
を含み、
前記通信機ユニットは、前記基地局へリソース要求応答を送信するよう更に構成され、前記リソース要求応答は、前記第２ネットワークの前記リソースプール時間ドメイン位置を含み、且つ前記処理ユニットにより前記第２ネットワークから取得される、
端末。
【請求項２１】
前記Ｄ２Ｄ通信タイムスロットを構成するために使用される前記情報は、前記第２ネットワークのリソースプール時間ドメイン較正情報を更に含む、請求項２０に記載の端末。
【請求項２２】
前記リソース要求は、前記第２ネットワークのリソースプール周波数ドメイン位置を前記基地局に報告するよう前記第３端末に指示するために更に使用される、請求項２０又は２１に記載の端末。
【請求項２３】
前記リソース要求は、前記第２ネットワークの周波数情報を含む、請求項２０乃至２２のいずれか一項に記載の端末。
【請求項２４】
前記処理ユニットは、前記第２ネットワークから、前記リソース要求に従い、前記第２ネットワーク内の基地局により送信されたシステムブロードキャストシグナリングを読み取ることにより、前記Ｄ２Ｄ通信タイムスロットを構成するために使用される前記情報を取得するよう構成される、請求項２０乃至２３のいずれか一項に記載の端末。
【請求項２５】
前記第３端末は、前記第２ネットワークから、前記Ｄ２Ｄ通信タイムスロットを構成するために使用される前記情報を取得することができる、請求項２０乃至２４のいずれか一項に記載の端末。
【請求項２６】
前記第３端末及び前記第１端末は同じ端末である、請求項２０乃至２５のいずれか一項に記載の端末。
【請求項２７】
記録されたプログラムを有するコンピュータ可読記憶媒体であって、前記プログラムは、コンピュータに、請求項１乃至６のいずれかに記載の方法を実行させる、コンピュータ可読記憶媒体。
【請求項２８】
記録されたプログラムを有するコンピュータ可読記憶媒体であって、前記プログラムは、コンピュータに、請求項７乃至１３のいずれかに記載の方法を実行させる、コンピュータ可読記憶媒体。
【請求項２９】
装置であって、前記装置は第１ネットワークに属し、
非一時的コンピュータ可読記憶媒体に結合されるプロセッサを含み、前記非一時的コンピュータ可読記憶媒体は、前記プロセッサによる実行のためのプログラミング命令を格納し、前記プログラミング命令は、前記プロセッサに、
前記第１ネットワーク内のＤ２Ｄ通信タイムスロットが構成される必要があることを決定し、前記Ｄ２Ｄ通信タイムスロットは、前記第１ネットワーク内の第１端末と第２ネットワーク内の第２端末との間のＤ２Ｄ通信のために使用され、前記第１ネットワーク及び前記第２ネットワークは異なる公衆地上モバイルネットワーク（ＰＬＭＮ）であり、
通信機を利用して、前記第１ネットワーク内の第３端末へリソース要求を送信し、前記リソース要求は、前記Ｄ２Ｄ通信タイムスロットを構成するために使用される情報を基地局に報告するよう前記第３端末に指示するために使用され、前記情報は前記第２ネットワークのリソースプール時間ドメイン位置を含み、
前記通信機を利用して、前記第３端末により送信されたリソース要求応答を受信し、前記リソース要求応答は、前記第２ネットワークの前記リソースプール時間ドメイン位置を含み、且つ前記第３端末により前記第２ネットワークから取得される、
よう指示する、装置。
【請求項３０】
装置であって、前記装置は第１ネットワークに属し、
非一時的コンピュータ可読記憶媒体に結合されるプロセッサを含み、前記非一時的コンピュータ可読記憶媒体は、前記プロセッサによる実行のためのプログラミング命令を格納し、前記プログラミング命令は、前記プロセッサに、
通信機を利用して、前記第１ネットワーク内の基地局により送信されたリソース要求を受信し、前記リソース要求は、Ｄ２Ｄ通信タイムスロットを構成するために使用される情報を前記基地局に報告するよう前記装置に指示するために使用され、前記情報は第２ネットワークのリソースプール時間ドメイン位置を含み、前記Ｄ２Ｄ通信タイムスロットは、前記第１ネットワーク内の第１端末と第２ネットワーク内の第２端末との間のＤ２Ｄ通信のために使用され、前記第１ネットワーク及び前記第２ネットワークは異なる公衆地上モバイルネットワーク（ＰＬＭＮ）であり、
前記通信機を利用して、前記第２ネットワークから前記リソース要求に従い、前記Ｄ２Ｄ通信タイムスロットを構成するために使用される前記情報を取得し、
前記通信機を利用して、前記基地局へリソース要求応答を送信し、前記リソース要求応答は、前記第２ネットワークの前記リソースプール時間ドメイン位置を含み、且つ前記装置により前記第２ネットワークから取得される、
よう指示する、装置。
【発明の詳細な説明】
【技術分野】
【０００１】
本発明は、無線通信技術に、特に、装置間通信（device  to  device、Ｄ２Ｄ）通信方法、装置、及びシステムに関する。
【背景技術】
【０００２】
Ｄ２Ｄ通信（又は端末間通信として参照されることもある）は、装置間の直接通信を実施する技術である。Ｄ２Ｄ通信技術を用いる車両インターネットが一例として使用される。車両安全に関する情報は、車両インターネット内の地理的に隣接する車両間で送信される必要がある。したがって、車両及び該車両の周りに居る別の車両が同じキャリアネットワークに属するか否かに拘わらず、車両安全を保証するために、情報が２台の車両間で送信される必要がある。
【０００３】
Ｄ２Ｄ通信を実行する必要のある２つの端末が異なるキャリアホームネットワーク、例えばキャリアネットワークＡ及びキャリアネットワークＢに属するとき、キャリアネットワークＡは、キャリアネットワークＢとのＤ２Ｄ通信のために使用されるタイムスロットを構成するために、キャリアネットワークＢ内でＤ２Ｄ通信のために使用されるリソース位置情報を取得する必要がある。
【０００４】
従来技術では、キャリアネットワークＢ内の端末へ情報を送信するために使用されたリソースを取得した後に、その都度、キャリアネットワークＡに属する各端末は、キャリアネットワークＢ内のＤ２Ｄ通信のために使用されるリソース位置情報を、キャリアネットワークＡに積極的に報告する。これは、不要なシグナリングオーバヘッドを生じる。
【発明の概要】
【０００５】
本発明は、Ｄ２Ｄ通信におけるシグナリングオーバヘッドが有意に削減され得るように、Ｄ２Ｄ通信方法、装置、及びシステムを提供する。
【０００６】
本発明の実施形態の第１の態様は、Ｄ２Ｄ通信方法であって、前記方法は、第１ネットワーク内の基地局により、第１ネットワーク内のＤ２Ｄ通信タイムスロットが構成される必要のあることを決定するステップであって、前記Ｄ２Ｄ通信タイムスロットは、前記第１ネットワーク内の第１端末と第２ネットワーク内の第２端末との間のＤ２Ｄ通信のために使用され、前記第１ネットワーク及び前記第２ネットワークは異なるホームネットワークである、ステップと、前記基地局により、前記第１ネットワークの第３端末へリソース要求を送信するステップであって、前記リソース要求は、前記Ｄ２Ｄ通信タイムスロットを構成するために使用される情報を前記基地局に報告するよう前記第３端末に指示するために使用される、ステップと、前記基地局により、前記第３端末により送信されたリソース要求応答を受信するステップであって、前記リソース要求応答は、前記Ｄ２Ｄ通信タイムスロットを構成するために使用され且つ前記第３端末により前記第２ネットワークから取得された前記情報を含む、ステップと、を含む方法を提供する。
【０００７】
本発明の実施形態の第２の態様は、Ｄ２Ｄ通信方法であって、前記方法は、第１ネットワーク内の第３端末により、第１ネットワーク内の基地局により送信されたリソース要求を受信するステップであって、前記リソース要求は、Ｄ２Ｄ通信タイムスロットを構成するために使用される情報を前記基地局に報告するよう前記第３端末に指示するために使用され、前記Ｄ２Ｄ通信タイムスロットは前記第１ネットワーク内の第１端末と第２ネットワーク内の第２端末との間のＤ２Ｄ通信のために使用され、前記第１ネットワーク及び前記第２ネットワークは異なるホームネットワークである、ステップと、前記第３端末により、前記第２ネットワークから、前記リソース要求に従い、前記Ｄ２Ｄ通信タイムスロットを構成するために使用される前記情報を取得するステップと、前記第３端末により、前記基地局へリソース要求応答を送信するステップであって、前記リソース要求応答は、前記Ｄ２Ｄ通信タイムスロットを構成するために使用され且つ前記第３端末により前記第２ネットワークから取得された前記情報を含む、ステップと、を含む方法を提供する。
【０００８】
本発明の本実施形態で提供される技術的解決策によると、ローカルネットワーク内の端末と別のネットワーク内の端末との間のＤ２Ｄ通信のためにタイムスロットが構成される必要があることを決定すると、基地局は、ローカルネットワーク内のタイムスロットを構成するために使用される情報を取得するために、特定端末へリソース要求を送信するようトリガされる。ローカルネットワーク及び別のネットワークは異なるホームネットワークである。従来技術と比べて、本発明の本実施形態における技術的解決策は、端末が別のネットワークに関連する情報を頻繁に報告するために引き起こされるシグナリングオーバヘッドを有意に削減する。
【０００９】
本発明の実施形態の第１の態様又は第２の態様の実装において、前記リソース要求は、情報取得タイムスロットを含み、前記情報取得タイムスロットは、前記Ｄ２Ｄ通信タイムスロットを構成するために使用される前記情報を前記第２ネットワークから取得するために前記第３端末により使用される。
【００１０】
本発明の実施形態の第１の態様又は第２の態様の実装において、前記基地局により、前記第３端末により送信されたリソース要求応答を受信する前記ステップの後に、前記方法は、前記基地局により、前記第１端末について、前記Ｄ２Ｄ通信タイムスロットを構成するために使用され且つ前記リソース要求応答に含まれる前記情報に従い、前記第２端末との前記Ｄ２Ｄ通信のために使用される前記Ｄ２Ｄ通信タイムスロットを構成するステップ、を更に含む。
【００１１】
本発明の実施形態の第１の態様又は第２の態様の実装において、前記Ｄ２Ｄ通信タイムスロットを構成するために使用される前記情報は、前記第２ネットワークのリソースプール時間ドメイン位置、又は時間ドメイン較正情報、又は前記第２ネットワークのリソースプール時間ドメイン位置及び時間ドメイン較正情報を含む。
【００１２】
本発明の実施形態の第１の態様又は第２の態様の実装において、前記基地局はタイマを設定し、前記タイマが終了すると、前記基地局は、前記第１ネットワーク内の前記Ｄ２Ｄ通信タイムスロットが構成される必要があることを決定する。
【００１３】
本発明の実施形態の第１の態様又は第２の態様の実装において、前記基地局が前記第３端末により送信された前記リソース要求応答を受信した後に、前記基地局は前記タイマをリセットする。
【００１４】
本発明の実施形態の第１の態様又は第２の態様の実装において、前記基地局は前記第２ネットワークから通知を受信し、前記通知は、前記第１ネットワーク内の前記Ｄ２Ｄ通信タイムスロットを構成するよう前記基地局に指示するために使用される。前記基地局は、前記第２ネットワークからの前記通知に従い、前記第１ネットワーク内の前記Ｄ２Ｄ通信タイムスロットが構成される必要があることを決定する。
【００１５】
本発明の実施形態の第１の態様又は第２の態様の実装において、前記第２ネットワークからの前記通知は、前記第２ネットワークの前記リソースプール時間ドメイン位置が変化することを示す情報を含み、前記Ｄ２Ｄ通信タイムスロットを構成するために使用される前記情報は、前記第２ネットワークの前記リソースプール時間ドメイン位置を含む。代替で、前記通知は、前記時間ドメイン較正情報が変化することを示す情報を含み、前記Ｄ２Ｄ通信タイムスロットを構成するために使用される情報は、前記時間ドメイン較正情報を含む。代替で、前記通知は、前記第２ネットワークの前記リソースプール時間ドメイン位置が変化することを示す情報及び前記時間ドメイン較正情報が変化することを示す情報を含み、前記Ｄ２Ｄ通信タイムスロットを構成するために使用される前記情報は、前記第２ネットワークの前記リソースプール時間ドメイン位置及び前記時間ドメイン較正情報を含む。
【００１６】
本発明の実施形態の第１の態様又は第２の態様の実装において、前記Ｄ２Ｄ通信タイムスロットを構成するために使用される前記情報は、前記第２ネットワークの前記リソースプール時間ドメイン位置を含み、前記リソース要求は、前記第２ネットワークの前記リソースプール時間ドメイン位置を報告するよう前記第３端末に指示するために使用されるビットを含む。代替で、前記Ｄ２Ｄ通信タイムスロットを構成するために使用される前記情報は、前記時間ドメイン較正情報を含み、前記リソース要求は、前記時間ドメイン較正情報を報告するよう前記第３端末に指示するために使用されるビットを含む。代替で、前記Ｄ２Ｄ通信タイムスロットを構成するために使用される前記情報は、前記第２ネットワークの前記リソースプール時間ドメイン位置及び前記時間ドメイン較正情報を含み、前記リソース要求は、前記第２ネットワークの前記リソースプール時間ドメイン位置を報告するよう前記第３端末に指示するために使用されるビット及び前記時間ドメイン較正情報を報告するよう前記第３端末に指示するために使用されるビットを含む。
【００１７】
本発明の実施形態の第１の態様又は第２の態様の実装において、前記時間ドメイン較正情報は、前記第２ネットワークのサブフレームの標準時間情報、又は前記第１ネットワークに対する前記第２ネットワークのサブフレームオフセットである。
【００１８】
本発明の実施形態の第１の態様又は第２の態様の実装において、前記第３端末及び前記第１端末は同じ端末である。
【００１９】
本発明の実施形態の第３の態様は、第１ネットワーク内の基地局であって、前記基地局は、前記第１ネットワーク内のＤ２Ｄ通信タイムスロットが構成される必要のあることを決定するよう構成される処理ユニットであって、前記Ｄ２Ｄ通信タイムスロットは、前記第１ネットワーク内の第１端末と第２ネットワーク内の第２端末との間のＤ２Ｄ通信のために使用され、前記第１ネットワーク及び前記第２ネットワークは異なるホームネットワークである、処理ユニットと、前記第１ネットワーク内の第３端末へリソース要求を送信し、前記リソース要求は前記Ｄ２Ｄ通信タイムスロットを構成するために使用される情報を前記基地局に報告するよう前記第３端末に指示するために使用される、よう構成される通信機ユニットと、を含む基地局を提供する。前記通信機ユニットは、前記第３端末により送信されたリソース要求応答を受信し、前記リソース要求応答は、前記Ｄ２Ｄ通信タイムスロットを構成するために使用され且つ前記第２ネットワークから前記第３端末により取得された前記情報を含む、よう更に構成される。
【００２０】
本発明の実施形態の第４の態様は、第１ネットワーク内の端末であって、前記端末は、前記第１ネットワーク内の基地局により送信されたリソース要求を受信するよう構成される通信機ユニットであって、前記リソース要求は、Ｄ２Ｄ通信タイムスロットを構成するために使用される情報を前記基地局に報告するよう前記第３端末に指示するために使用され、前記Ｄ２Ｄ通信タイムスロットは前記第１ネットワーク内の第１端末と第２ネットワーク内の第２端末との間のＤ２Ｄ通信のために使用され、前記第１ネットワーク及び前記第２ネットワークは異なるホームネットワークである、通信機ユニットと、前記第２ネットワークから、前記リソース要求に従い、前記Ｄ２Ｄ通信タイムスロットを構成するために使用される前記情報を取得するよう構成される処理ユニットと、を含む、端末を提供する。前記通信機ユニットは、前記基地局へリソース要求応答を送信し、前記リソース要求応答は、前記Ｄ２Ｄ通信タイムスロットを構成するために使用され且つ前記第２ネットワークから前記第３端末の前記処理ユニットにより取得された前記情報を含む、よう更に構成される。
【００２１】
本発明の本実施形態で提供される技術的解決策によると、ローカルネットワーク内の端末と別のネットワーク内の端末との間のＤ２Ｄ通信のためにタイムスロットが構成される必要があることを決定すると、基地局は、ローカルネットワーク内のタイムスロットを構成するために使用される情報を取得するために、特定端末へリソース要求を送信するようトリガされる。ローカルネットワーク及び別のネットワークは異なるホームネットワークである。従来技術と比べて、本発明の本実施形態における技術的解決策は、端末が別のネットワークに関連する情報を頻繁に報告するために引き起こされるシグナリングオーバヘッドを有意に削減する。
【００２２】
本発明の実施形態の第３の態様において提供される基地局、及本発明の実施形態の第４の態様において提供される端末は、本発明の実施形態の第１の態様及び第２の態様の任意の実装における方法を実施でき、詳細はここに再び記載されない。
【００２３】
本発明の実施形態の第５の態様は、通信システムを更に提供し、前記通信システムは、前述の端末及び前述の基地局を含んで良い。
【００２４】
本発明の実施形態の第６の態様は、コンピュータに、第１の態様、第２の態様、又は第１の態様と第２の態様の実装のうちのいずれか１つによる方法を実行させるために使用され得るコンピュータプログラムを更に提供する。
【００２５】
本発明の実施形態の第７の態様は、装置間Ｄ２Ｄ通信方法であって、前記方法は、第２ネットワーク内の第２基地局により、第１ネットワーク内のＤ２Ｄ通信タイムスロットを構成するために使用される情報が変化することを決定するステップであって、前記Ｄ２Ｄ通信タイムスロットは、前記第１ネットワーク内の第１端末と第２ネットワーク内の第２端末との間のＤ２Ｄ通信のために使用され、前記第１ネットワーク及び前記第２ネットワークは異なるホームネットワークである、ステップと、前記第２基地局により、前記第１ネットワーク内の第１基地局へ通知を送信するステップと、を含む方法を提供する。
【００２６】
本発明の実施形態の第８の態様は、Ｄ２Ｄ通信方法であって、前記方法は、第１ネットワーク内の第１基地局により、第２ネットワーク内の第２基地局により送信された通知を受信するステップであって、前記通知は、前記第１ネットワーク内のＤ２Ｄ通信タイムスロットを構成するために使用される情報を含み、前記Ｄ２Ｄ通信タイムスロットは、前記第１ネットワーク内の第１端末と前記第２ネットワーク内の第２端末との間のＤ２Ｄ通信のために使用され、前記第１ネットワーク及び前記第２ネットワークは異なるホームネットワークである、ステップと、前記第１基地局により、前記通知に従い、前記第１ネットワーク内の前記Ｄ２Ｄ通信タイムスロットを構成するステップと、を含む方法を提供する。
【００２７】
本発明の本実施形態で提供される技術的解決策によると、第１ネットワーク内の端末と第２ネットワーク内の端末との間のＤ２Ｄ通信のために使用されるタイムスロットを構成するために使用される情報が第２ネットワーク内で変化するとき、タイムスロット構成を実行するよう第１ネットワーク内の基地局を制御するために、第２ネットワーク内の基地局は、変化した内容を第１ネットワーク内の前記基地局に積極的に通知するよう制御される。従来技術と比べて、本発明の本実施形態における技術的解決策は、端末が第２ネットワークに関する情報を頻繁に且つ積極的に報告するために引き起こされるシグナリングオーバヘッドを有意に削減する。
【００２８】
本発明の実施形態の第７の態様又は第８の態様の実装において、前記Ｄ２Ｄ通信タイムスロットを構成するために使用される前記情報は、前記第２ネットワークのリソースプール時間ドメイン位置、又は時間ドメイン較正情報、又は前記第２ネットワークのリソースプール時間ドメイン位置及び時間ドメイン較正情報を含む。前記第２ネットワークの前記リソースプール時間ドメイン位置が変化するとき、前記通知は、前記第２ネットワークの前記リソースプール時間ドメイン位置を含む。代替で、前記時間ドメイン較正情報が変化するとき、前記通知は、前記時間ドメイン較正情報を含む。代替で、前記第２ネットワークの前記リソースプール時間ドメイン位置及び前記時間ドメイン較正情報が変化するとき、前記通知は、前記第２ネットワークの前記リソースプール時間ドメイン位置及び前記時間ドメイン較正情報を含む。
【００２９】
本発明の実施形態の第７の態様又は第８の態様の実装において、前記時間ドメイン較正情報は、前記通知の送信に対応するサブフレームの番号、又は第１サブフレームの標準時間情報を含む。
【００３０】
本発明の実施形態の第９の態様は、第２ネットワーク内の第２基地局であって、前記第２基地局は、第１ネットワーク内のＤ２Ｄ通信タイムスロットを構成するために使用される情報が変化することを決定するよう構成される処理ユニットであって、前記Ｄ２Ｄ通信タイムスロットは、前記第１ネットワーク内の第１端末と前記第２ネットワーク内の第２端末との間のＤ２Ｄ通信のために使用され、前記第１ネットワーク及び前記第２ネットワークは異なるホームネットワークである、処理ユニットと、前記第１ネットワーク内の第１基地局へ通知を送信するよう構成される通信機ユニットと、を含む第２基地局を提供する。
【００３１】
本発明の実施形態の第１０の態様は、第１ネットワーク内の第１基地局であって、前記第１基地局は、第２ネットワーク内の第２基地局により送信された通知を受信するよう構成される通信機ユニットであって、前記通知は、前記第１ネットワーク内のＤ２Ｄ通信タイムスロットを構成するために使用される情報を含み、前記Ｄ２Ｄ通信タイムスロットは、前記第１ネットワーク内の第１端末と前記第２ネットワーク内の第２端末との間のＤ２Ｄ通信のために使用され、前記第１ネットワーク及び前記第２ネットワークは異なるホームネットワークである、通信機ユニットと、前記通知に従い、前記第１ネットワーク内の前記Ｄ２Ｄ通信タイムスロットを構成するよう構成される処理ユニットと、を含む第１基地局を提供する。
【００３２】
本発明の本実施形態で提供される技術的解決策によると、第１ネットワーク内の端末と第２ネットワーク内の端末との間のＤ２Ｄ通信のために使用されるタイムスロットを構成するために使用される情報が第２ネットワーク内で変化するとき、タイムスロット構成を実行するよう第１ネットワーク内の基地局を制御するために、第２ネットワーク内の基地局は、変化した内容を第１ネットワーク内の基地局に積極的に通知する。従来技術と比べて、本発明の本実施形態における技術的解決策は、端末が第２ネットワークに関する情報を頻繁に且つ積極的に報告するために引き起こされるシグナリングオーバヘッドを有意に削減する。
【００３３】
本発明の実施形態の第９の態様において提供される第２基地局、及本発明の実施形態の第１０の態様において提供される第１基地局は、本発明の実施形態の第７の態様及び第８の態様の任意の実装における方法を実施でき、詳細はここに再び記載されない。
【００３４】
本発明の実施形態の第１１の態様は、通信システムを更に提供し、前記通信システムは、前述の第１基地局及び前述の第２基地局を含んで良い。
【００３５】
本発明の実施形態の第１２の態様は、コンピュータに、第７の態様、第８の態様、又は第７の態様と第８の態様の実装のうちのいずれか１つによる方法を実行させるために使用され得るコンピュータプログラムを更に提供する。
【図面の簡単な説明】
【００３６】
本発明の実施形態の又は従来技術の技術的ソリューションをより明確に説明するために、以下に実施形態又は従来技術の説明に必要な添付の図面を記載する。明らかなことに、以下の説明中の添付の図面は、本発明のほんの一部の実施形態であり、これらの図面に従って当業者により創造的労力を有しないで他の図面も得られる。
【図１】本発明の一実施形態によるネットワーク適用シナリオの概略図である。
【図２】本発明の一実施形態によるＤ２Ｄ通信の概略図である。
【図３】本発明の一実施形態による基地局の概略構造図である。
【図４】本発明の一実施形態による端末の概略構造図である。
【図５】本発明の一実施形態による別の基地局の概略構造図である。
【図６】本発明の実施形態によるＤ２Ｄ通信方法のフローチャートである。
【図７】本発明の実施形態による別のＤ２Ｄ通信方法のフローチャートである。
【図８】本発明の実施形態による通信装置である。
【発明を実施するための形態】
【００３７】
本発明の特定の技術的解決策及び目的を一層明らかにするために、以下に、特定の実施形態及び添付の図面を参照して本発明を更に明確且つ完全に記載する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００３８】
Ｄ２Ｄ通信は、専用無線インタフェース技術を用いることにより、端末間の直接データ通信をサポートする技術である。この場合、基地局は、端末間の直接データ通信を支援するために、通信リソース構成、スケジューリング、調整、等を実行する。Ｄ２Ｄ通信技術を使用する車両インターネットシステムでは、車両は、別の車両との直接データ通信を実施するために、端末の一形態として使用されて良い。
【００３９】
図１は、本発明の一実施形態によるネットワーク適用シナリオの概略図である。本発明の本実施形態は、主にＤ２Ｄ通信に適用されて良く、例えば、Ｄ２Ｄ通信を使用する車両インターネットシステムに適用されて良く、又はＤ２Ｄ通信をサポートするセルラネットワークに適用されて良い。
【００４０】
図１に示すように、本適用シナリオにおいて、第１ネットワーク１０及び第２ネットワーク２０が存在する。第１ネットワーク１０及び第２ネットワーク２０は、異なるホームネットワークである。つまり、第１ネットワーク１０及び第２ネットワーク２０は、それぞれ、２つの異なるキャリアにより維持され、互いにＤ２Ｄ通信に関連する情報を知ることができない。しかしながら、該情報は、２つのネットワークにそれぞれ属する端末間の相互Ｄ２Ｄ通信に不可欠である。例えば、該情報は、Ｄ２Ｄ通信を実行するために使用される、リソースプール時間ドメイン位置及び時間ドメイン較正情報であって良い。
【００４１】
本発明の本実施形態で提供される技術的解決策では、第１ネットワーク１０及び第２ネットワーク２０は、同じ無線アクセス技術（radio  access  technology、ＲＡＴ）をサポートして良い。もちろん、技術的解決策は、第１ネットワーク１０及び第２ネットワーク２０が異なるＲＡＴをサポートするシナリオにも適用されて良い。これはここで限定されない。
【００４２】
基地局１１０は、第１ネットワーク内の基地局である。第１ネットワーク１０及び第２ネットワーク２０のカバレッジ内の端末１２０は、第１ネットワークに属する。基地局１３０は、第２ネットワーク２０内の基地局である。適用アーキテクチャは、複数の端末を更に含んで良い。しかしながら、図１は、第１ネットワーク１０に属する端末１４０及び端末１６０、並びに第２ネットワーク２０に属する端末１８０だけを示す。端末１４０は、第１ネットワーク１０及び第２ネットワーク２０のカバレッジ内に存在し、端末１６０は第１ネットワーク１０のカバレッジ内に存在する。端末１８０は、第１ネットワーク１０及び第２ネットワーク２０のカバレッジ内に存在する。
【００４３】
基地局１１０又は基地局１３０は、マクロ基地局又はスモールセルであって良い。例えば、ＬＴＥシステムでは、基地局１１０又は基地局１３０は、進化型ＮｏｄｅＢ（evolved  node  B、ｅＮｏｄｅＢ）であって良く、又はホームｅＮｏｄｅＢ（home  eNodeB、ＨｅＮＢ）、アクセスポイント（access  point、ＡＰ）、マイクロ基地局（micro  base  station）若しくはピコセル基地局（pico  base  station）のようなスモールセルであって良い。ユニバーサル・モバイル・テレコミュニケーション・システム（universal  mobile  telecommunication  system、ＵＭＴＳ）では、基地局１１０又は基地局１３０は、ＮｏｄｅＢ（Node  B）及び無線ネットワーク制御部（ＲＮＣ、Radio  Network  Controller）を含んで良い。グローバル・システム・フォー・モバイル・コミュニケーションズ（global  system  for  mobile  communication、ＧＳＭ）では、基地局１２０又は基地局１３０は、基地局制御部（base  station  controller、ＢＳＣ）、基地通信局（base  transceiver  station、ＢＴＳ）、等を含んで良い。図３は、本発明の一実施形態による基地局１１０を示す。基地局１１０は、処理ユニット１１２及び通信機ユニット１１４を含んで良い。図５は、本発明の一実施形態による基地局１３０を示す。基地局１３０は、処理ユニット１３２及び通信機ユニット１３４を含んで良い。
【００４４】
端末１２０は、ユーザ機器（user  equipment、ＵＥ）、移動局（mobile  station）、加入者ユニット（subscriber  unit)）、セルラ電話機（cellular  phone）、スマートフォン（smart  phone）、無線データカード、パーソナルデジタルアシスタント（personal  digital  assistant、ＰＤＡ）コンピュータ、タブレットコンピュータ、無線モデム（modem）、ハンドヘルド（handheld）装置、ラップトップコンピュータ（laptop  computer）、コードレス電話機（cordless  phone）、無線ローカルループ（wireless  local  loop、ＷＬＬ）局、等として参照されて良い。特に、車両インターネットでは、端末１２０は車両であって良い。図４は、本発明の一実施形態による端末１２０を示す。端末１２０は、通信機ユニット１２２及び処理ユニット１２４を含んで良い。
【００４５】
本発明の本実施形態では、基地局１１０は、処理ユニット１１２及び通信機ユニット１１４を含み、端末１２０は、処理ユニット１２４及び通信機ユニット１２２を含み、基地局１３０は、処理ユニット１３２及び通信機ユニット１３４を含む。したがって、処理ユニット１１２又は通信機ユニット１１４により実行される動作は、基地局１１０の動作として考えられて良く、処理ユニット１２４又は通信機ユニット１２２により実行される動作は、端末１２０の動作として考えられて良く、処理ユニット１３２又は通信機ユニット１３４により実行される動作は、基地局１３０の動作として考えられて良い。本発明の本実施形態では、基地局１１０内の処理ユニット１１２は基地局１１０内のプロセッサにより実装されて良く、通信機１１４は基地局１１０内の通信機により実装されて良く、端末１２０内の処理ユニット１２４は端末１２０内のプロセッサにより実装されて良く、通信機ユニット１２２は端末１２０内の通信機により実装されて良く、基地局１３０内の処理ユニット１３２は基地局１３０内のプロセッサにより実装されて良く、通信機ユニット１３４は基地局１３０内の通信機により実装されて良い。
【００４６】
本発明の本実施形態では、Ｄ２Ｄ通信のために、各ホームネットワークは、Ｄ２Ｄサービスを作動させるための通信リソースを保有し、Ｄ２Ｄサービスを作動させるための通信リソースは、１又は複数のリソースプールに分けられて良い。各リソースプールは、周波数ドメイン位置及び時間ドメイン位置を有する。各リソースプールは、時間ドメインにおいて周期的に現れて良い。Ｄ２Ｄ通信では、情報は、リソースプールを用いることにより異なるネットワーク内の端末間で送信される。サブフレームは、ネットワーク内のデータ送信の時間単位である。つまり、サブフレームは、時間の次元で、データ送信を記述する。異なるホームネットワークは、時間の次元において揃えられていなくて良い。その結果、異なるホームネットワークにおいて同じ番号を有するサブフレーム間で、時間ドメインにおけるオフセットが生成される。該オフセットに関する情報は、時間ドメインにおいて異なるホームネットワークの調整を実施するために、時間ドメイン較正情報を用いることにより通知されて良い。
【００４７】
図１に示される第１ネットワーク１０内の端末と第２ネットワーク内の端末との間でＤ２Ｄ通信を実施するために、第１ネットワーク１０は、少なくとも、第２ネットワーク２０内のリソースプール位置について、第２ネットワーク２０内のリソースプール時間ドメイン位置を知る必要がある。第１ネットワーク１０は、時間ドメイン較正情報を更に知る必要がある。第２ネットワーク２０におけるリソースプール時間ドメイン位置及び時間ドメイン較正情報に従い、第１ネットワーク１０内の基地局は、第１ネットワーク１０内の端末と第２ネットワーク２０内の端末との間のＤ２Ｄ通信のために使用されるタイムスロットを構成して良い。該タイムスロット中に、第１ネットワーク１０内の端末は、第２ネットワーク２０内の端末が情報を取得できるように第２ネットワーク２０のリソースプールの中で情報を送信するために、又は第２ネットワーク２０のリソースプールの中で第２ネットワーク２０内の端末により送信された情報を受信するために、第１ネットワークから切断し、第２ネットワーク２０に接続する。
【００４８】
例えば、図２を参照すると、第１ネットワーク１０及び第２ネットワーク２０は、公衆地上モバイルネットワーク（public  land  mobile  network、ＰＬＭＮ）であって良い。ＰＬＭＮは、例えば地上の車両又は歩行者に向けられる傾向のある無線通信システムである。異なるキャリアにより異なるＰＬＭＮが通常維持される。したがって多量の情報は相互に共有できない。第１ネットワーク及び第２ネットワークは、同じ無線アクセス技術ＲＡＴの通信システム、例えばロングタームエボリューション（long  term  evolution、ＬＴＥ）システムを使用する。
【００４９】
図２に示すように、第１ネットワーク１０に属する端末１４０は、第２ネットワーク２０内の端末１８０とのＤ２Ｄ通信の実行に備える。第２ネットワーク２０内の端末１８０とのＤ２Ｄ通信を実施するよう端末１４０のためにタイムスロットを構成するために、第１ネットワーク１０内の基地局１１０は、第２ネットワーク２０により使用されるリソースプール時間ドメイン位置、例えば図２のサブフレーム２〜６を知る必要があるだけでなく、第１ネットワーク１０及び第２ネットワーク２０の調整を実施するために使用される時間ドメイン較正情報、例えば第１ネットワーク１０に対する第２ネットワーク２０のサブフレームオフセット（offset）も知る必要がある。ここで、サブフレームオフセットは１サブフレームである。このように、第１ネットワーク１０内の基地局１１０がタイムスロットを構成した後に、タイムスロットは、時間ドメインにおいて第２ネットワークのリソースプール位置と調整される。つまり、第１ネットワーク１０内の基地局１１０は、先ず第１ネットワーク１０内のサブフレーム２〜６を見付け、次に時間ドメイン較正情報に従いオフセット時間期間だけサブフレーム２〜６を遅延させて、構成されるタイムスロットがサブフレーム３〜７になるようにする。端末１４０は、タイムスロット内で、端末１８０とＤ２Ｄ通信を実行して良い。例えば、端末１４０は、端末１８０により送信された情報を受信して良く、又は端末１４０が端末１８０へ情報を送信する。もちろん、端末１４０は、タイムスロット内で、第２ネットワーク２０内の端末へブロードキャストメッセージを送信しても良い。これはここで限定されない。
【００５０】
従来技術では、膨大な数の端末が第１ネットワーク１０内に存在し得る。さらに、Ｄ２Ｄ通信の方法で第２ネットワーク２０内の端末へ情報を送信する度に、全ての端末が、第２ネットワーク２０内のＤ２Ｄ通信のための送信リソースの位置、及び第１ネットワーク１０に対する第２ネットワーク２０のサブフレームオフセットを、第１ネットワーク１０に積極的に報告する。
【００５１】
しかしながら、実際には、第２ネットワーク２０内の端末がＤ２Ｄ通信を実行するリソースプール位置は、高い確実性で固定され、ネットワークサブフレームレベルで通常ゆっくりとドリフトする。結果として、膨大なシグナリングオーバヘッドが引き起こされる。さらに、Ｄ２Ｄ通信が実行される必要のある度に、膨大な数の端末が、先ずＤ２Ｄ通信のための送信リソースの位置及び第１ネットワーク１０に対する第２ネットワーク２０のサブフレームオフセットを取得するために第２ネットワーク２０に接続し、送信リソースの位置及びサブフレームオフセットを第１ネットワーク１０に報告する。結果として、長いＤ２Ｄ通信遅延が引き起こされる。本発明の一実施形態で提供される方法は、Ｄ２Ｄ通信における膨大なシグナリングオーバヘッド及び通信遅延の問題を解決できる。
【００５２】
図６は、本発明の一実施形態によるＤ２Ｄ通信方法のフローチャートである。方法は、図１に示されるネットワーク適用シナリオに適用されて良く、図３の本発明の実施形態における基地局１１０と図４の本発明の実施形態における端末１２０との間の協働により実施される。方法は以下のステップを有する。
【００５３】
Ｓ６０１。基地局１１０は、第１ネットワーク１０内のＤ２Ｄ通信タイムスロットが構成される必要のあることを決定する。ここで、Ｄ２Ｄ通信タイムスロットは、第１ネットワーク１０内の第１端末と第２ネットワーク２０内の第２端末との間のＤ２Ｄ通信のために使用される。
【００５４】
第１ネットワーク１０内の第１端末が第２ネットワーク２０内の第２端末とＤ２Ｄ通信を実行する必要のあるとき、第１ネットワーク１０内の第１端末に第２ネットワーク２０のリソースプール位置を正確に見付けさせるために、基地局１１０は、第１ネットワーク１０内の第１端末のためにＤ２Ｄ通信タイムスロットを構成する必要がある。Ｄ２Ｄ通信タイムスロット中に、第１ネットワーク１０内の第１端末は、第２ネットワーク２０内の第２端末が情報を取得できるように第２ネットワーク２０のリソースプールの中で情報を送信するために、又は第２ネットワーク２０のリソースプールの中で第２ネットワーク２０内の第２端末により送信された情報を受信するために、第２ネットワーク２０に接続して良い。任意で、Ｄ２Ｄ通信タイムスロットはギャップ（gap）位置である。
【００５５】
第１端末は、図１のネットワーク適用シナリオにおける端末１４０又は端末１２０であって良い。第２端末は、図１に示すネットワーク適用シナリオにおける端末１８０であって良い。この場合、端末１４０及び端末１８０はＤ２Ｄ通信をサポートする必要がある。
【００５６】
第１ネットワーク１０内でＤ２Ｄ通信タイムスロットを構成するために、基地局１１０は、Ｄ２Ｄ通信タイムスロットを構成するために使用される情報を取得する必要がある。
【００５７】
第１ネットワーク１０がＤ２Ｄ通信タイムスロットを構成する必要があるとき、第１ネットワーク１０は、時間ドメイン較正情報を知っている場合があるが、第２ネットワーク２０のリソースプール時間ドメイン位置を取得しない。或いは、第１ネットワーク１０は、第２ネットワーク２０のリソースプール時間ドメイン位置を知っているが、時間ドメイン較正情報を取得しない。或いは、第１ネットワーク１０は、第２ネットワーク２０のリソースプール時間ドメイン位置、又は時間ドメイン較正情報のいずれも取得しない。
【００５８】
したがって、Ｄ２Ｄ通信タイムスロットを構成するために使用される情報は、第２ネットワーク２０のリソースプール時間ドメイン位置、又は第２ネットワーク２０の時間ドメイン較正情報、又は第２ネットワーク２０のリソースプール時間ドメイン位置及び第２ネットワーク２０の時間ドメイン較正情報を含んで良い。前述の情報が取得された後に、基地局１１０は、Ｄ２Ｄ通信タイムスロットが時間ドメインにおいて第２ネットワーク２０のリソースプール位置と揃えられるように、第２ネットワーク２０のリソースプール時間ドメイン位置及び時間ドメイン較正情報に従い、Ｄ２Ｄ通信タイムスロットを構成する。
【００５９】
第２ネットワーク２０のリソースプール時間ドメイン位置は、時間の次元におけるリソースプール位置の記述であり、第２ネットワーク２０のリソースプールが現れる特定の時間を含んで良く、又は第２ネットワークのリソースプールが現れる期間を確実に含んで良い。
【００６０】
時間ドメイン較正情報は、第２ネットワーク２０のサブフレームの標準時間情報、例えば、第２ネットワーク２０のサブフレームの番号及び該サブフレームに対応する標準時間であって良い。標準時間は、グリニッジ標準時、又は第１ネットワーク１０及び第２ネットワーク２０が合意している基準時間であって良い。代替で、時間ドメイン較正情報は、第１ネットワーク１０に対する第２ネットワーク２０の相対サブフレーム位置であって良く、つまり、第１ネットワーク１０に対する第２ネットワーク２０のサブフレームオフセットであって良い。オフセットは、サブフレーム数の単位であって良い。例えば、ＬＴＥシステムでは、サブフレーム数は、０〜２０４７に及んで良い。さらに、オフセットは、前方オフセット又は後方オフセットであって良い。オフセットが前方オフセットであるとき、基地局１１０はＤ２Ｄ通信タイムスロットを構成するとき、時間ドメインにおいて該オフセットの長さだけＤ２Ｄ通信タイムスロットを遅延して良いことを示す。或いは、オフセットが後方オフセットであるとき、Ｄ２Ｄ通信タイムスロットを構成するとき、時間ドメインにおいて該オフセットの長さだけＤ２Ｄ通信タイムスロットを進めて良いことを示す。
【００６１】
時間ドメイン較正情報が第２ネットワーク２０のサブフレームの標準時間情報である場合を説明するために、ここで特定の例が使用される。端末１２０は、第２ネットワーク２０におけるサブフレーム番号７及び対応するグリニッジ標準時、例えば０３：１０：２５：１２を取得し、次にサブフレーム番号７及び対応するグリニッジ標準時を基地局１１０に報告して良い。第１ネットワーク１０においてサブフレーム番号７に対応するグリニッジ標準時０３：１０：２５：２４を参照すると、基地局１１０は、計算により、２つのネットワーク内で時間ドメインにおいて１２ミリ秒後方の狂いを取得できる。
【００６２】
基地局１１０は、先ず、Ｄ２Ｄ通信タイムスロットが構成される必要があるか否かを決定して良い。第１ネットワーク１０が第２ネットワーク２０とのＤ２Ｄ通信のために使用されるタイムスロットを構成している場合、Ｄ２Ｄ通信タイムスロットを構成するために使用され且つ第２ネットワーク２０のものである情報は、短時間の内に変化し得ない。したがって、基地局１１０は、空きタイムスロットを再構成する必要がない、つまり、Ｄ２Ｄ通信タイムスロットを構成するために使用される情報を取得する必要がない。第１ネットワーク１０内のタイムスロットが構成される必要があると決定するときだけ、基地局１１０は、Ｄ２Ｄ通信タイムスロットを構成するために使用される情報を報告するよう端末１２０をトリガする必要がある。したがって、基地局１１０は、Ｄ２Ｄ通信タイムスロットが構成される必要があるか否かを決定する。したがって、端末がＤ２Ｄ通信タイムスロットを構成するために使用された情報を頻繁に報告するという従来技術の問題が解決できる。
【００６３】
例えば、基地局１１０は、以下の２つのシナリオを用いて、第１ネットワーク１０内のＤ２Ｄ通信タイムスロットが構成される必要があることを決定して良い。
【００６４】
（１）基地局１１０が第１タイマを設定する。
【００６５】
基地局１１０は、計時を開始するよう第１タイマをトリガする。第１タイマが終了すると、基地局１１０は、第１ネットワーク１０内のＤ２Ｄ通信タイムスロットが構成される必要があると決定する。
【００６６】
基地局１１０は、専用タイマを設定し、計時を開始するようタイマを制御し、計時を監視する。第１タイマが終了すると、基地局１１０は、第１ネットワーク１０内のＤ２Ｄ通信タイムスロットが構成される必要があると決定する。タイマの時間は、任意に設定されて良く、例えば、第２ネットワーク２０のリソースプール位置が変化した又は第２ネットワーク２０のサブフレームがドリフトした前の時間間隔に従い設定されて良い。これはここで限定されない。
【００６７】
（２）基地局１１０が第２ネットワーク２０から通知を受信する。
【００６８】
第２ネットワーク２０からの通知は、第１ネットワーク内のＤ２Ｄ通信タイムスロットを構成するよう基地局に指示するために使用される。
【００６９】
第２ネットワーク２０からの通知は、ビットを用いて、第２ネットワーク２０のリソースプール時間ドメイン位置及び時間ドメイン較正情報が変化することを示して良い。例えば、通知は、それぞれ１ビットを用いて、第２ネットワーク２０のリソースプール時間ドメイン位置が変化すること、及び第２ネットワーク２０の時間ドメイン較正情報が変化することを示して良い。
【００７０】
通知は、第２ネットワークのリソースプール時間ドメイン位置が変化することを示す情報を含み、Ｄ２Ｄ通信タイムスロットを構成するために使用される情報は、第２ネットワーク２０のリソースプール時間ドメイン位置を含む。代替で、通知は、時間ドメイン較正情報が変化することを示す情報を含み、Ｄ２Ｄ通信タイムスロットを構成するために使用される情報は、時間ドメイン較正情報を含む。代替で、通知は、第２ネットワーク２０のリソースプール時間ドメイン位置が変化することを示す情報及び時間ドメイン較正情報が変化することを示す情報を含み、Ｄ２Ｄ通信タイムスロットを構成するために使用される情報は、第２ネットワーク２０のリソースプール時間ドメイン位置及び時間ドメイン較正情報を含む。
【００７１】
つまり、基地局１１０は、第２ネットワーク２０のリソースプール時間ドメイン位置及び時間ドメイン較正情報が変化するときに第２ネットワーク２０により提供される積極的通知を用いて、Ｄ２Ｄ通信タイムスロットが構成される必要があることを決定して良い。積極的通知は、第２ネットワーク２０内の基地局１３０により実行されて良い。通知は、ＰＬＭＮ間リソース変更指示（inter−PLMN  resource  modification  indication）メッセージの中で伝達されて良い。メッセージは、ＬＴＥシステムにおけるＸ２アプリケーション層メッセージ、第１ネットワーク１０内の基地局１１０と第２ネットワーク２０内の基地局１３０との間で確立されるデータリンクで送信されるメッセージ、第１ネットワーク１０内の基地局１１０と第２ネットワーク２０内の基地局１３０との間の無線情報メッセージ（radio  information  message、ＲＩＭ）、又は動作管理及び保守（operation  administration  and  maintenance、ＯＡＭ）装置を使用することにより第２ネットワーク２０内の基地局１３０により第１ネットワーク１０内の基地局１１０へ転送されるメッセージであって良い。
【００７２】
もちろん、前述の２つのシナリオは、単に、本発明の本実施形態における技術的解決策の一例として用いられ、限定として考えられない。例えば、基地局１１０に対して端末により開始され且つＤ２Ｄ通信タイムスロットを構成することを基地局１１０に要求するために使用される情報を含むＤ２Ｄ通信要求に基づき、基地局１１０は、Ｄ２Ｄ通信タイムスロットが構成される必要があることを決定して良い。要するに、当業者により実施され得る別の等価な変形が含まれる。
【００７３】
Ｓ６０２。基地局１１０は、端末１２０へリソース要求を送信する。ここで、リソース要求は、Ｄ２Ｄ通信タイムスロットを構成するために使用される情報を基地局１１０に報告するよう端末１２０に指示するために使用される。
【００７４】
基地局１１０は、Ｄ２Ｄ通信タイムスロットが構成される必要があることを決定した後に、Ｓ６０２を実行する。基地局１１０は、端末１２０へリソース要求を送信し、端末１２０が、第２ネットワーク２０から、Ｄ２Ｄ通信タイムスロットを構成するために使用される情報を取得することを期待する。
【００７５】
Ｓ６０２を実行するとき、基地局１１０は、先ず、リソース要求が送信される対象、端末１２０を決定する必要がある。留意すべきことに、第１ネットワーク１０に属し及びＤ２Ｄ通信の機能をサポートすることに加えて、端末１２０は、さらに、Ｄ２Ｄ通信タイムスロットを構成するために使用される情報を取得する必要があって良く、つまり、第２ネットワーク２０から情報を取得する又は第２ネットワーク２０内で特徴測定を実行できる。
【００７６】
例えば、基地局１１０は、以下の方法で、端末１２０がＤ２Ｄ通信タイムスロットを構成するために使用される情報を取得できることを決定して良い。
【００７７】
基地局１１０が、端末１２０がＳ６０２の前にＤ２Ｄ通信特徴に関連する情報を報告したことを知った場合、端末１２０がＤ２Ｄ通信をサポート可能であることが示される。例えば、Ｓ６０２の前に、基地局１１０は、端末１２０により送信されたＤ２Ｄ通信要求を受信している。代替で、Ｓ６０２の前に、基地局１１０は、端末１２０により送信されたＤ２Ｄ通信能力指示情報を受信している。Ｄ２Ｄ通信能力指示情報は、端末１２０がＤ２Ｄ通信を実行できることを示すために使用される。例えば、ＬＴＥシステムでは、Ｄ２Ｄ通信能力指示情報は、サイドリンクＵＥ情報（side  link  UE  information）である。
【００７８】
他方で、基地局１１０が、リソース要求が送信される対象、端末１２０を選択する方法は、次の通りであって良い。基地局１１０は、アクティブ状態（端末が基地局１１０により制御され得る状態）にある任意の端末を端末１２０として選択し、又はＤ２Ｄ通信タイムスロットが構成される必要があると決定した後に、基地局１１０は、最初にＤ２Ｄ通信要求を開始する被検出端末を端末１２０として選択し、又は基地局の現在制御領域内に端末が存在しない場合、基地局１１０は、最初に制御領域に入る被検出端末を端末１２０として選択する。
【００７９】
リソース要求を送信する対象、端末１２０を選択するとき、基地局１１０は、端末１２０として参照され得る複数の端末を見付ける。任意で、基地局１１０は、第２ネットワーク２０に以前属していた端末を優先的に選択する、つまり、第２ネットワーク２０のカバレッジから移動する端末を端末１２０として選択する。基地局１１０は、ハンドオーバ手順等を用いて、第２ネットワーク２０に以前属していた端末を知ることができる。
【００８０】
任意で、リソース要求は、ＰＬＭＮ間リソース要求（inter−PLMN  resource  request）メッセージの形式で送信されて良い。
【００８１】
任意で、リソース要求は、具体的に以下の内容を含んで良い：
第２ネットワーク２０のアイデンティティ、ここで、
具体的に、第２ネットワーク２０のアイデンティティは、第２ネットワーク２０を表すＰＬＭＮアイデンティティ（PLMN  identity、ＰＬＭＮ  ＩＤ）であって良い；
第２ネットワーク２０内のセルアイデンティティ、ここで、
具体的に、第２ネットワーク２０内のセルアイデンティティは、少なくとも１つのセルのアイデンティティ、又は複数のセルがあるときにはセルアイデンティティリスト；
第２ネットワーク２０の周波数、ここで、
第２ネットワーク２０の周波数は、端末１２０が第２ネットワーク２０と素早く同期すること、及びＤ２Ｄ通信タイムスロットを構成するために使用され且つ基地局１１０により要求された情報を読み出すことを助ける；
情報取得タイムスロット、ここで、情報取得タイムスロットは、Ｄ２Ｄ通信タイムスロットを構成するために使用される情報を第２ネットワーク２０から取得するために、端末１２０により使用され、
第１ネットワーク１０に属する端末１２０は、基地局１１０のリソース要求に従い、第２ネットワーク２０から、Ｄ２Ｄ通信タイムスロットを構成するために使用される情報を取得する必要がある。基地局１１０は、先ず端末１２０のための情報取得タイムスロットを構成して良く、情報取得タイムスロット中に、端末１２０は第１ネットワーク１０から一時的に切断し、第２ネットワーク２０にアクセスし、第２ネットワーク２０からＤ２Ｄ通信タイムスロットを構成するために使用される情報を取得する。例えば、端末１２０は、Ｄ２Ｄ通信タイムスロットを構成するために使用され且つ基地局１３０によりブロードキャスト方法又は専用シグナリング方法で送信された情報を受信する。Ｄ２Ｄ通信タイムスロットを構成するために使用される情報を端末１２０により取得する際の遅延が大幅に削減されるように、基地局１１０により端末１２０へ積極的に送信されたリソース要求は、情報取得タイムスロットを含む；
第２ネットワーク２０のリソースプール時間ドメイン位置を報告するよう指示するために使用される情報、ここで、
具体的に、第２ネットワーク２０のリソースプール時間ドメイン位置が報告される必要があるか否かを示すために、１ビットが使用されて良い；
第２ネットワーク２０の時間ドメイン較正情報を報告するよう指示するために使用される情報、ここで、
具体的に、時間ドメイン較正情報が報告される必要があるか否かを示すために、１ビットが使用されて良い。
【００８２】
もちろん、リソース要求は、Ｄ２Ｄ通信処理において後に使用するために、第２ネットワーク２０のリソースプール周波数ドメイン位置を報告するよう指示するために使用される情報も含んで良い。これはここで限定されない。
【００８３】
代替として、Ｓ６０２を実行した後に、基地局は、端末１２０がリソース要求に応答するか否かを決定するために、第２タイマを設定して良い。第２タイマが終了した後に、基地局１１０が端末１２０から応答を受信しない場合、基地局１１０は、端末１２０へリソース要求を再送信して良く、又は前述の条件を満たす端末を再選択し、再選択した端末へリソース要求を送信して良い。
【００８４】
基地局１１０の処理ユニット１１２は、第１ネットワーク１０内のＤ２Ｄ通信タイムスロットが構成される必要があることを決定するよう構成される。ここで、Ｄ２Ｄ通信タイムスロットは、第１ネットワーク１０内の第１端末と第２ネットワーク２０内の第２端末との間のＤ２Ｄ通信のために使用される。
【００８５】
基地局１１０の通信機ユニット１１４は、端末１２０へリソース要求を送信するよう構成される。ここで、リソース要求は、Ｄ２Ｄ通信タイムスロットを構成するために使用される情報を基地局１１０に報告するよう端末１２０に指示するために使用される。
【００８６】
任意で、基地局１１０の処理ユニット１１２は、第１タイマを設定し、計時を開始するよう第１タイマをトリガし、第１タイマが終了することを決定するよう更に構成される。
【００８７】
任意で、基地局１１０の通信機ユニット１１４は、第２ネットワーク２０から通知メッセージを受信するよう更に構成される。
【００８８】
任意で、基地局１１０の処理ユニット１１２は、端末がＤ２Ｄ通信タイムスロットを構成するために使用される情報を取得できることを決定するよう更に構成される。
【００８９】
任意で、端末１２０の通信機ユニット１２２は、基地局１１０により送信されたリソース要求を受信するよう構成される。
【００９０】
Ｓ６０３。端末１２０は、第２ネットワーク２０から、リソース要求に従い、Ｄ２Ｄ通信タイムスロットを構成するために使用される情報を取得する。
【００９１】
基地局１１０により送信されたリソース要求を受信した後に、端末１２０は、第２ネットワーク２０から、リソース要求内の情報に従い、Ｄ２Ｄ通信タイムスロットを構成するために使用される情報を取得する。
【００９２】
任意で、Ｄ２Ｄ通信タイムスロットを構成するために使用される前記情報は、第２ネットワーク２０のリソースプール時間ドメイン位置、又は時間ドメイン較正情報、又は第２ネットワーク２０のリソースプール時間ドメイン位置及び時間ドメイン較正情報を含む。
【００９３】
端末１２０が、第２ネットワーク２０から、Ｄ２Ｄ通信タイムスロットを構成するために使用される情報を取得する方法は、第２ネットワーク２０から、第２ネットワーク２０内の基地局１３０により送信されたシステムブロードキャストシグナリングを読み取ることであって良い。ＬＴＥシステムにおけるシステムブロードキャストシグナリングは、Ｄ２Ｄ通信情報ブロードキャストのために使用されるシステム情報ブロック（system  information  block、ＳＩＢ）１８である。代替で、端末１２０が、第２ネットワーク２０から、Ｄ２Ｄ通信タイムスロットを構成するために使用される情報を取得する方法は、端末１２０と第２ネットワーク２０内の基地局１３０との間の専用シグナリングを用いて、Ｄ２Ｄ通信タイムスロットを構成するために使用される情報を受信することであって良い。
【００９４】
任意で、時間ドメイン較正情報が取得される必要がある場合、端末１２０は、先ず、第２ネットワーク２０のサブフレームの標準時間情報、例えば、第２ネットワーク２０のサブフレームの番号及び該サブフレームに対応する標準時間を取得して良い。標準時間は、グリニッジ標準時、又は第１ネットワーク１０及び第２ネットワーク２０が合意している基準時間であって良い。代替で、時間ドメイン較正情報は、第１ネットワーク１０に対する第２ネットワーク２０の相対サブフレーム位置であって良く、つまり、第１ネットワーク１０に対する第２ネットワーク２０のサブフレームオフセットであって良い。オフセットは、サブフレーム数の単位であって良い。例えば、ＬＴＥシステムでは、サブフレーム数は、０〜２０４７に及んで良い。さらに、オフセットは、前方オフセット又は後方オフセットであって良い。
【００９５】
任意で、時間ドメイン較正情報が第１ネットワーク１０に対する第２ネットワーク２０のサブフレームオフセットであるとき、例えば、端末１２０、端末１２０は、最初に、第２ネットワーク２０からサブフレームの標準時間情報を取得し、次に、第１ネットワーク１０の対応するサブフレームの標準時間情報に従い、計算により、標準時間情報を第１ネットワーク１０に対する第２ネットワーク２０のサブフレームオフセットに変換して良い。（特定のアルゴリズムでは、時間ドメイン較正情報が、Ｓ６０１で時間ドメイン較正情報を記述するために使用される、第２ネットワーク２０の絶対サブフレーム位置である場合を一例として参照すると、ここで、動作は、基地局１１０の代わりに端末１２０により実行される）。このように、後続のＳ６０４を実行するとき、端末１２０は、時間ドメイン較正情報として、基地局１１０へサブフレームオフセットを送信して良い。
【００９６】
端末１２０の処理ユニット１２４は、第２ネットワーク２０から、リソース要求に従い、Ｄ２Ｄ通信タイムスロットを構成するために使用される情報を取得するよう構成されて良い。
【００９７】
Ｓ６０４。端末１２０は、基地局１１０へリソース要求応答を送信する。ここで、リソース要求応答は、Ｄ２Ｄ通信タイムスロットを構成するために使用される情報を含む。
【００９８】
端末１２０は、Ｄ２Ｄ通信タイムスロットを構成するために使用され且つＳ６０３で取得された情報を、リソース要求応答を用いて基地局１１０へ送信する。任意で、リソース要求応答は、ＰＬＭＮ間リソース応答（inter−PLMN  resource  response）の形式で送信されて良い。
【００９９】
任意で、基地局が、Ｓ６０１における第１タイマによる計時により、Ｄ２Ｄ通信タイムスロットが構成される必要があることを決定した場合、基地局１１０は、端末１２０により送信されたリソース要求応答を受信した後に、第１タイマをリセットして良い。
【０１００】
端末１２０の通信機ユニット１２２は、基地局１１０へリソース要求応答を送信するよう構成される。
【０１０１】
基地局１１０の通信機ユニット１１４は、基地局１２０により送信されたリソース要求応答を受信するよう構成される。
【０１０２】
任意で、基地局１１０の処理ユニット１１２は、第１タイマをリセットするよう構成される。
【０１０３】
リソース要求応答の中でＤ２Ｄ通信タイムスロットを構成するために使用される情報を取得した後に、基地局１１０は、第１ネットワーク１０内の第１端末と第２ネットワーク２０内の第２端末との間でＤ２Ｄ通信を実施するために、第１ネットワーク１０内の第１端末のためにＤ２Ｄ通信タイムスロットを構成して良い。
【０１０４】
基地局１１０は、前に取得した第２ネットワーク２０のリソースプール時間ドメイン位置に従い、端末１２０による報告により、時間ドメイン較正情報を取得して良い。代替で、基地局１１０は、前に取得した第２ネットワーク２０の時間ドメイン較正情報に従い、端末１２０による報告により、リソースプール時間ドメイン位置を取得して良い。代替で、基地局は、Ｄ２Ｄ通信タイムスロットを構成するために使用される情報を予め知らず、端末１２０による報告により、時間ドメイン較正情報及びリソースプール時間ドメイン位置を取得する。要するに、第１ネットワーク１０内でＤ２Ｄ通信タイムスロットを構成する前に、基地局１１０は、時間ドメイン較正情報及びリソースプール時間ドメイン位置を取得している。後に、基地局１１０は、最初に、第１ネットワーク１０内の且つ第２ネットワーク２０内のリソースプール時間ドメイン位置に対応する、時間ドメイン位置を見付ける。例えば、第２ネットワーク２０内のリソースプール時間ドメイン位置が、第２ネットワーク２０内のサブフレーム２〜６である場合、基地局１１０は、先ず、第１ネットワーク１０内で、第１ネットワーク１０内のサブフレーム２〜６を見付け、次に、時間ドメイン較正情報に従い、例えば時間ドメイン較正情報が絶対サブフレーム位置であるとき、基地局は、Ｓ６０１で言及した方法における計算により、第１ネットワーク１０に対する第２ネットワーク２０のオフセットを取得して良く、或いは、基地局は、時間ドメイン較正情報が相対サブフレーム位置、つまり第１ネットワーク１０に対する第２ネットワーク２０のサブフレームオフセットであるとき、第１ネットワーク１０に対する第２ネットワーク２０のオフセットを直接取得して良く、基地局１１０は、第２ネットワーク内のサブフレーム２〜６に前方オフセットを追加し又は後方オフセットを減算する。最終的に、取得された時間ドメイン位置が、構成される必要のあるＤ２Ｄ通信タイムスロットである。
【０１０５】
本発明の本実施形態で提供される技術的解決策によると、ローカルネットワーク内の端末と別のネットワーク内の端末との間のＤ２Ｄ通信のためにタイムスロットが構成される必要があることを決定すると、基地局は、ローカルネットワーク内のタイムスロットを構成するために使用される情報を取得するために、特定端末へリソース要求を送信するようトリガされる。ローカルネットワーク及び別のネットワークは異なるホームネットワークである。従来技術と比べて、本発明の本実施形態における技術的解決策は、端末が別のネットワークに関連する情報を頻繁に報告するために引き起こされるシグナリングオーバヘッドを有意に削減する。
【０１０６】
前述の本発明の実施形態によると、端末１２０は、第２ネットワーク２０から、Ｄ２Ｄ通信タイムスロットを構成するために使用される情報を取得する。実際に、第２ネットワーク２０内の基地局１３０は、また、第１ネットワーク１０内の基地局に、Ｄ２Ｄ通信タイムスロットを構成するために使用される情報を積極的に通知して良い。
【０１０７】
図７は、本発明の一実施形態による別のＤ２Ｄ通信方法のフローチャートである。方法は、図２に示される前述の適用アーキテクチャに適用されて良く、図３の本発明の実施形態における基地局１１０と図５の本発明の実施形態における基地局１３０との間の協働により実施される。方法は以下のステップを有する。
【０１０８】
Ｓ７０１。基地局１３０は、第１ネットワーク１０内のＤ２Ｄ通信タイムスロットを構成するために使用される第２ネットワーク２０内の情報が変化することを決定する。ここで、Ｄ２Ｄ通信タイムスロットは、第１ネットワーク１０内の第１端末と第２ネットワーク２０内の第２端末との間のＤ２Ｄ通信のために使用される。
【０１０９】
Ｓ７０２。基地局１３０は、基地局１１０へ通知を送信する。
【０１１０】
Ｓ７０３。基地局１１０は、通知に従い、第１ネットワーク１０においてＤ２Ｄ通信タイムスロットを構成する。
【０１１１】
基地局１１０及び基地局１３０は、事前構成等により、第１ネットワーク１０内の第１端末と第２ネットワーク２０内の第２端末との間のＤ２Ｄ通信が実施される必要があることを決定して良い。さらに、基地局１３０が、内部メカニズムを用いて、第１ネットワーク１０内のＤ２Ｄ通信タイムスロットを構成するために使用される情報が変化することを発見すると、基地局１３０は、Ｓ７０２を実行するようトリガされる。したがって、基地局１１０は、第２ネットワーク２０内の第２端末とのＤ２Ｄ通信を実施するために、第１ネットワーク１０内の第１端末により使用されるタイムスロットを構成できる。
【０１１２】
もちろん、代替として、Ｓ７０２における通知は、必ずしも、基地局１３０が第１ネットワーク１０内のＤ２Ｄ通信タイムスロットを構成するために使用される情報が変化することを決定するときだけ、基地局１１０へ送信されるものではない。基地局１３０は、第２ネットワーク２０内の第３タイマも設定して良い。第３タイマが終了すると、基地局１３０は、第２ネットワーク２０内で、第１ネットワーク１０内のＤ２Ｄ通信タイムスロットを構成するために使用される情報が変化するか否かに拘わらず、Ｓ７０２を実行する。
【０１１３】
第１ネットワーク１０内のＤ２Ｄ通信タイムスロットを構成するために使用される情報は、第２ネットワークのリソースプール時間ドメイン位置、又は時間ドメイン較正情報、又は第２ネットワークのリソースプール時間ドメイン位置及び時間ドメイン較正情報を含む。
【０１１４】
任意で、第２ネットワーク２０のリソースプール時間ドメイン位置が変化するとき、通知は第２ネットワーク２０のリソースプール時間ドメイン位置を含み、時間ドメイン較正情報が変化するとき、通知は時間ドメイン較正情報を含み、又は、第２ネットワーク２０のリソースプール時間ドメイン位置及び第２ネットワーク２０の時間ドメイン較正情報が変化するとき、通知は第２ネットワーク２０のリソースプール時間ドメイン位置及び時間ドメイン較正情報を含む。
【０１１５】
つまり、基地局１３０は、第２ネットワーク２０のリソースプール時間ドメイン位置及び時間ドメイン較正情報のうちの少なくとも１つを基地局１１０に直接通知する。
【０１１６】
基地局１１０は、第１ネットワーク１０内の第１端末と第２ネットワーク２０内の第２端末との間でＤ２Ｄ通信を実施するために、受信した通知の中の情報に従い、正しいＤ２Ｄ通信タイムスロットを構成して良い。
【０１１７】
第２ネットワーク２０のリソースプール時間ドメイン位置は、時間の次元におけるリソースプール位置の記述であり、第２ネットワーク２０のリソースプールが現れる特定の時間を含んで良く、又は第２ネットワークのリソースプールが現れる期間を確実に含んで良い。
【０１１８】
代替として、基地局１３０は、リソースプール周波数ドメイン位置に関する情報が後のＤ２Ｄ通信において使用できるように、第２ネットワーク２０のリソースプール周波数ドメイン位置を基地局１１０に更に通知して良い。
【０１１９】
任意で、第２ネットワーク２０の時間ドメイン較正情報は、通知の送信に対応するサブフレームの標準時間情報、例えば通知の送信に対応するサブフレームの番号であって良く、又は、第１サブフレームの標準時間情報、例えば第１サブフレームの番号及び第１サブフレームの標準時間であって良い。標準時間は、グリニッジ標準時、又は第１ネットワーク１０及び第２ネットワーク２０が合意している基準時間であって良い。
【０１２０】
基地局１３０の処理ユニット１３２は、第１ネットワーク１０内のＤ２Ｄ通信タイムスロットを構成するために使用される第２ネットワーク２０内の情報が変化することを決定するよう構成され、Ｄ２Ｄ通信タイムスロットは、第１ネットワーク１０内の第１端末と第２ネットワーク２０内の第２端末との間のＤ２Ｄ通信のために使用される。基地局１３０の通信機ユニット１３４は、基地局１１０へ通知を送信するよう構成される。
【０１２１】
基地局１１０の通信機ユニット１１４は、基地局１３０により送信された通知を受信するよう構成される。基地局１１０の処理ユニット１１２は、通知に従い、第１ネットワーク１０においてＤ２Ｄ通信タイムスロットを構成するよう構成される。
【０１２２】
本発明の本実施形態で提供される技術的解決策によると、第１ネットワーク１０内の端末と第２ネットワーク２０内の端末との間のＤ２Ｄ通信のために使用されるタイムスロットを構成するために使用される情報が第２ネットワーク２０内で変化するとき、タイムスロット構成を実行するよう第１ネットワーク１０内の基地局を制御するために、第２ネットワーク２０内の基地局は、変化した内容を基地局に積極的に通知するよう制御される。従来技術と比べて、本発明の本実施形態における技術的解決策は、端末が第２ネットワーク２０に関する情報を頻繁に且つ積極的に報告するために引き起こされるシグナリングオーバヘッドを有意に削減する。
【０１２３】
留意すべきことに、本発明の本実施形態における第１端末と第２端末との間のＤ２Ｄ通信は、実際は、ユニキャストＤ２Ｄ通信又はブロードキャストＤ２Ｄ通信であって良い。
【０１２４】
図８は、本発明の実施形態による通信装置８を示す。通信装置８は、プロセッサ８１及びメモリ８２を含む。プロセッサ８１及びメモリ８２は、バスシステム８３を用いて接続される。通信装置８は、本発明の実施形態における基地局１１０であって良く、又は本発明の実施形態における端末１２０であって良く、又は本発明の実施形態における基地局１３０であって良い。
【０１２５】
通信装置８が基地局１１０であるとき、メモリ８２は、プロセッサ８１が図６及び図７中の基地局１１０により実行される全ての方法を実行できるようにする命令を格納するよう構成される。
【０１２６】
通信装置８が端末１２０であるとき、メモリ８２は、プロセッサ８１が図６及び図７中の端末１２０により実行される全ての方法を実行できるようにする命令を格納するよう構成される。
【０１２７】
通信装置８が基地局１３０であるとき、メモリ８２は、プロセッサ８１が図６及び図７中の基地局１３０により実行される全ての方法を実行できるようにする命令を格納するよう構成される。
【０１２８】
さらに、通信装置８は、送信機回路８４、受信機回路８５、アンテナ８６、等を更に含んで良い。プロセッサ８１は、通信装置８の動作を制御する。プロセッサ８１は、ＣＰＵ（Central  Processing  Unit、中央処理ユニット）として参照されても良い。メモリ８２は、読み出し専用メモリ及びランダムアクセスメモリを含み、プロセッサ８１に命令及びデータを提供して良い。メモリ８２の一部は、不揮発性ランダムアクセスメモリ（ＮＶＲＡＭ）を更に含んで良い。特定の適用では、送信機回路８４及び受信機回路８５は、アンテナ８６に結合されて良い。通信装置８のコンポーネントは、バスシステム８３を用いることにより一緒に結合される。データバスに加えて、バスシステム８３は、電力バス、制御バス、状態信号バス、等を更に有して良い。しかしながら、説明の明確さのために、種々のバスは、図中、バスシステム８３として記される。
【０１２９】
本発明の前述の実施形態において開示された方法は、プロセッサ８１に適用され又はプロセッサ８１により実施されて良い。プロセッサ８１は、集積回路チップであって良く、信号処理能力を有する。実装過程で、前述の方法のステップは、プロセッサ８１の中のハードウェアの集積論理回路、又はソフトウェアの形式の命令を用いて達成されて良い。前述のプロセッサ８１は、汎用プロセッサ、デジタル信号プロセッサ（ＤＳＰ）、特定用途向け集積回路（ＡＳＩＣ）、フィールドプログラマブルゲートアレイ（ＦＰＧＡ）又は別のプログラマブル論理コンポーネント、個別ゲート又はトランジスタ論理装置、又は個別ハードウェアコンポーネントであって良い。
【０１３０】
当業者は、本発明の実施形態において列挙される種々の説明的論理ブロック（illustrative  logic  block）及びステップ（step）が電子ハードウェア、コンピュータソフトウェア、又はそれらの組合せを用いて実施されて良いことを更に理解できる。ハードウェアとソフトウェアとの間の互換性（interchangeability）を明確に示すために、前述の種々の説明的コンポーネント（illustrative  components）及びステップの機能は、一般的に記載されている。機能がハードウェア又はソフトウェアを用いて実装されるかは、特定の適用及びシステム全体の設計要件に依存する。当業者は、各々の特定の適用について記載の機能を実施するために種々の方法を使用できるが、実装が本発明の実施形態の保護範囲を超えると理解されるべきではない。
【０１３１】
本発明の実施形態に記載された種々の説明的論理ブロック、モジュール、及び回路は、汎用プロセッサ、デジタル信号処理ユニット、特定用途向け集積回路（ＡＳＩＣ）、フィールドプログラマブルゲートアレイ（ＦＰＧＡ）、又は別のプログラマブル論理装置、個別ゲート又はトランジスタ論理装置、個別ハードウェアコンポーネント、又はそれらの任意の組合せの設計を用いることにより記載の機能を実装し又は動作して良い。汎用処理ユニットは、マイクロ処理ユニットであって良い。任意で、汎用処理ユニットは、任意の伝統的処理ユニット、制御部、マイクロコントローラ、又は状態機械であって良い。処理ユニットは、デジタル信号処理ユニット及びマイクロ処理ユニット、複数のマイクロ処理ユニット、デジタル信号処理ユニットコアを備える１又は複数のマイクロ処理ユニット、又は任意の他の同様の構成のようなコンピューティング装置の組合せにより実装されて良い。
【０１３２】
本発明の実施形態に記載された方法又はアルゴリズムのステップは、ハードウェア、処理ユニットにより実行されるソフトウェアモジュール、又はそれらの組合せに直接埋め込まれて良い。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能磁気ディスク、ＣＤ−ＲＯＭ、又は従来の任意の他の形式の記憶媒体に格納されて良い。例えば、処理ユニットが記憶媒体から情報を読み出し記憶媒体に情報を書き込めるように、記憶媒体は、処理ユニットに接続して良い。代替で、記憶媒体は、さらに、処理ユニットに統合されて良い。処理ユニット及び記憶媒体は、ＡＳＩＣ内に配置されて良く、ＡＳＩＣはユーザ端末内に配置されて良い。代替で、処理ユニット及び記憶媒体は、ユーザ端末の異なるコンポーネント内に配置されて良い。
【０１３３】
設計の１又は複数の例では、本発明の実施形態で記載された機能は、ハードウェア、ソフトウェア、ファームウェア、又はそれらの組合せを用いて実装されて良い。本発明がソフトウェアにより実装されるとき、これらの機能は、コンピュータ可読媒体に格納され、又はコンピュータ可読媒体へ１又は複数の命令又はコードとして送信されて良い。コンピュータ可読媒体は、コンピュータ記憶媒体又はコンピュータプログラムをある場所から別の場所へ移動させる通信媒体である。記憶媒体は、任意の汎用又は専用コンピュータによりアクセスされ得る利用可能媒体であって良い。例えば、このようなコンピュータ可読媒体は、限定ではないが、ＲＡＭ、ＲＯＭ、ＥＥＰＲＯＭ、ＣＤ−ＲＯＭ、又は別の光ディスク記憶装置、ディスク記憶装置、又は別の磁気記憶装置、又はプログラムコードを運び又は格納するために使用され得る任意の他の媒体を含んで良い。ここで、プログラムコードは、命令又はデータ構造の形式であり、又は汎用若しくは専用コンピュータにより又は汎用若しくは専用処理ユニットにより読み取り可能な形式である。さらに、任意の接続は、コンピュータ可読媒体として適切に定められて良い。例えば、ソフトウェアが、同軸ケーブル、光ファイバコンピュータ、より線対、デジタル加入者線（ＤＳＬ）又は赤外、無線、若しくはマイクロ波のような無線方法で、ウェブサイト、サーバ、又は別のリモートリソースから送信される場合、ソフトウェアは、定められたコンピュータ可読媒体に含まれる。ディスク（disc）及びディスク（disk）は、圧縮ディスク、レーザディスク、光ディスク、ＤＶＤ、フロッピーディスク、及びブルーレイディスクを含む。ディスクは、通常、機械的手段によりデータを複製し、ディスクは、通常、レーザ手段により光学的にデータを複製する。前述の組合せも、コンピュータ可読媒体に含まれ得る。
【０１３４】
本発明における本願明細書の前述の記載に従い、従来技術が、本発明の内容を使用し又は実施して良い。開示の内容に基づく任意の変更は、当業界において明らかであると考えられるべきである。本発明において記載された基本原理は、本発明の基本及び範囲から逸脱することなく、他の変形に適用されて良い。したがって、本発明において開示された内容は、記載の実施形態及び設計に限定されず、本発明の原理及び開示された新たな特徴と調和する最大範囲までも拡張されて良い。
【図１】
0006547063.tif 000002
【図２】
0006547063.tif 000003
【図３】
0006547063.tif 000004
【図４】
0006547063.tif 000005
【図５】
0006547063.tif 000006
【図６】
0006547063.tif 000007
【図７】
0006547063.tif 000008
【図８】
0006547063.tif 000009